(57)【要約】【課題】連続用紙について容易かつ精度高く印刷位置合わせを行うこと。【解決手段】連続用紙２００に関する折りたたみ長、プレプリント繰り返し単位および印刷開始ページを設定する用紙情報設定部と、連続用紙２００を搬送する搬送ユニット１０２と、搬送ユニット１０２により初期搬送された連続用紙２００に関して、折りたたみ長に基づいて連続用紙２００の先端２００ａから印刷開始位置Ｐｐまでのページ数、プレプリント繰り返し単位および印刷開始ページに基づいて先端２００ａから印刷開始ページまでのページ数を算出し、両ページ数の差を印刷開始位置決め用搬送量として算出する制御部とを備え、制御部は、搬送ユニット１０２を制御し、印刷開始位置決め用搬送量分だけ連続用紙２００を搬送させる。【選択図】　　　図３
2004058520.tif 000002
【特許請求の範囲】
【請求項１】
連続用紙に関する折りたたみ長、プレプリント繰り返し単位および印刷開始ページを設定する設定手段と、
前記連続用紙を搬送する搬送手段と、
前記搬送手段により初期搬送された前記連続用紙に関して、前記折りたたみ長に基づいて前記連続用紙の先端から印刷開始位置までの第１のページ数、および前記プレプリント繰り返し単位および前記印刷開始ページに基づいて前記連続用紙の先端から前記印刷開始ページまでの第２のページ数を算出し、前記第２のページ数と前記第１のページ数との差を印刷開始位置決め用搬送量として算出する算出手段と、
前記搬送手段を制御し、前記印刷開始位置決め用搬送量分だけ前記連続用紙を搬送させる制御手段と、
を備えたことを特徴とする印刷装置。
【請求項２】
前記印刷開始ページは、既知である前記連続用紙の先端を起点とした場合のページであることを特徴とする請求項１に記載の印刷装置。
【請求項３】
前記印刷開始ページは、所定位置に設けられたマーカを起点とした場合のページであることを特徴とする請求項１に記載の印刷装置。
【請求項４】
連続用紙に関する折りたたみ長、プレプリント繰り返し単位および印刷開始ページを設定する設定工程と、
前記連続用紙を搬送する搬送工程と、
前記搬送工程により初期搬送された前記連続用紙に関して、前記折りたたみ長に基づいて前記連続用紙の先端から印刷開始位置までの第１のページ数、および前記プレプリント繰り返し単位および前記印刷開始ページに基づいて前記連続用紙の先端から前記印刷開始ページまでの第２のページ数を算出し、前記第２のページ数と前記第１のページ数との差を印刷開始位置決め用搬送量として算出する算出工程と、
前記搬送工程を制御し、前記印刷開始位置決め用搬送量分だけ前記連続用紙を搬送させる制御工程と、
を含むことを特徴とする印刷制御方法。
【請求項５】
コンピュータを、
連続用紙に関する折りたたみ長、プレプリント繰り返し単位および印刷開始ページを設定する設定手段、
前記連続用紙を搬送する搬送手段、
前記搬送手段により初期搬送された前記連続用紙に関して、前記折りたたみ長に基づいて前記連続用紙の先端から印刷開始位置までの第１のページ数、および前記プレプリント繰り返し単位および前記印刷開始ページに基づいて前記連続用紙の先端から前記印刷開始ページまでの第２のページ数を算出し、前記第２のページ数と前記第１のページ数との差を印刷開始位置決め用搬送量として算出する算出手段、
前記搬送手段を制御し、前記印刷開始位置決め用搬送量分だけ前記連続用紙を搬送させる制御手段、
として機能させるための印刷制御プログラム。
【発明の詳細な説明】
【０００１】
【発明の属する技術分野】
本発明は、連続用紙に印刷を行うための印刷装置、印刷制御方法および印刷制御プログラムに関するものであり、連続用紙について容易かつ精度高く印刷位置合わせを行うことができる印刷装置、印刷制御方法および印刷制御プログラムに関するものである。
【０００２】
【従来の技術】
図１６は、従来の印刷装置１０の外観構成を示す側面図である。印刷装置１０において、搬送ユニット１２は、筐体１１の内部に設けられ、連続用紙２０を用紙搬送方向Ｘへ搬送する機能を備えている。
【０００３】
感光ドラム１３は、筐体１１の内部に設けられ、連続用紙２０に対して印刷を行う機能を備えている。ここで、感光ドラム１３と連続用紙２０とが接する位置は、印刷が開始される印刷開始位置Ｐｐである。
【０００４】
印字確認部１４は、筐体１１の上部であって搬送経路に沿って設けられ、連続用紙２０の印字状態を目視で確認するための窓である。排紙口１５からは、搬送された連続用紙２０が外部へ排紙される。
【０００５】
手動搬送スイッチ１６は、手動操作で、用紙搬送方向Ｘまたは用紙搬送方向Ｘと逆方向に連続用紙２０を搬送させ、位置調整をするためのスイッチである。操作部１７は、印刷開始スイッチや、搬送開始スイッチ等を備えている。
【０００６】
図１７は、図１６に示した連続用紙２０の構成を示す平面図である。連続用紙２０は、所定の折りたたみ長の間隔で折り目が付いた連続用紙であり、所定ページ（同図ではページＡ、ＢおよびＣという３ページ）のプレプリント繰り返し単位で繰り返しパターンを有している。
【０００７】
つまり、連続用紙２０では、ページＡ、ＢおよびＣが一つのパターンとされており、このパターンが用紙搬送方向Ｘに沿って繰り返し印刷されるというプレプリントが行われる。また、折りたたみ長は、用紙搬送方向Ｘにおける１ページの長さである。図１６に戻り、用紙箱３０には、折り目でたたまれた状態で連続用紙２０が格納されている。
【０００８】
上記構成において、図１６に示した連続用紙２０の先端部が搬送ユニット１２の近傍にセットされた後、搬送開始スイッチ（図示略）が押下されると、自動搬送機能により、連続用紙２０が用紙搬送方向Ｘに搬送され、同図に示したように印刷装置１０に連続用紙２０がセットされる。
【０００９】
このとき、図１８（ａ）に示した印刷開始位置Ｐｐには、連続用紙２０のページＢが位置している。従って、この状態では、ページＢが印刷開始ページとなる。そして、印刷開始スイッチが押下されると、連続用紙２０が用紙搬送方向Ｘに搬送されつつページＢから印刷が開始される。
【００１０】
また、図１８（ａ）および図１８（ｂ）に示したように、印刷開始ページをページＢからページＡへ変更する場合には、オペレータは、ページＡが印刷開始位置Ｐｐに位置するように、手動搬送スイッチ１６を操作して連続用紙２０を少しづつ搬送させる。
【００１１】
【発明が解決しようとする課題】
ところで、従来の印刷装置１０においては、図１８（ａ）および図１８（ｂ）に示したように、手動搬送スイッチ１６（図１６参照）を操作することにより、印刷開始ページを変更している。
【００１２】
しかしながら、印刷装置１０の構造上、オペレータが印刷開始位置Ｐｐと連続用紙２０との相対的な位置関係を直接確認することができないため、カンにより手動搬送スイッチ１６を操作しなければならず、印刷位置合わせの精度が悪く、操作しにくいという問題があった。
【００１３】
従って、従来の印刷装置１０では、手動搬送スイッチ１６による印刷位置合わせを行った後、実際に印刷を行い、正規の印刷位置からずれている場合に、再度、手動搬送スイッチ１６を操作するという行為を繰り返しながら、印刷位置を合わせている。
【００１４】
本発明は、上記に鑑みてなされたもので、連続用紙について容易かつ精度高く印刷位置合わせを行うことができる印刷装置、印刷制御方法および印刷制御プログラムを提供することを目的とする。
【００１５】
【課題を解決するための手段】
上記目的を達成するために、本発明は、連続用紙に関する折りたたみ長、プレプリント繰り返し単位および印刷開始ページを設定する設定手段と、前記連続用紙を搬送する搬送手段と、前記搬送手段により初期搬送された前記連続用紙に関して、前記折りたたみ長に基づいて前記連続用紙の先端から印刷開始位置までの第１のページ数、および前記プレプリント繰り返し単位および前記印刷開始ページに基づいて前記連続用紙の先端から前記印刷開始ページまでの第２のページ数を算出し、前記第２のページ数と前記第１のページ数との差を印刷開始位置決め用搬送量として算出する算出手段と、前記搬送手段を制御し、前記印刷開始位置決め用搬送量分だけ前記連続用紙を搬送させる制御手段と、を備えたことを特徴とする。
【００１６】
また、本発明は、連続用紙に関する折りたたみ長、プレプリント繰り返し単位および印刷開始ページを設定する設定工程と、前記連続用紙を搬送する搬送工程と、前記搬送工程により初期搬送された前記連続用紙に関して、前記折りたたみ長に基づいて前記連続用紙の先端から印刷開始位置までの第１のページ数、および前記プレプリント繰り返し単位および前記印刷開始ページに基づいて前記連続用紙の先端から前記印刷開始ページまでの第２のページ数を算出し、前記第２のページ数と前記第１のページ数との差を印刷開始位置決め用搬送量として算出する算出工程と、前記搬送工程を制御し、前記印刷開始位置決め用搬送量分だけ前記連続用紙を搬送させる制御工程と、を含むことを特徴とする。
【００１７】
また、本発明は、コンピュータを、連続用紙に関する折りたたみ長、プレプリント繰り返し単位および印刷開始ページを設定する設定手段、前記連続用紙を搬送する搬送手段、前記搬送手段により初期搬送された前記連続用紙に関して、前記折りたたみ長に基づいて前記連続用紙の先端から印刷開始位置までの第１のページ数、および前記プレプリント繰り返し単位および前記印刷開始ページに基づいて前記連続用紙の先端から前記印刷開始ページまでの第２のページ数を算出し、前記第２のページ数と前記第１のページ数との差を印刷開始位置決め用搬送量として算出する算出手段、前記搬送手段を制御し、前記印刷開始位置決め用搬送量分だけ前記連続用紙を搬送させる制御手段、として機能させるための印刷制御プログラムである。
【００１８】
かかる発明によれば、連続用紙に関する折りたたみ長、プレプリント繰り返し単位および印刷開始ページを設定し、初期搬送された連続用紙に関して、折りたたみ長に基づいて連続用紙の先端から印刷開始位置までの第１のページ数、およびプレプリント繰り返し単位および印刷開始ページに基づいて連続用紙の先端から印刷開始ページまでの第２のページ数を算出し、第２のページ数と第１のページ数との差を印刷開始位置決め用搬送量として算出し、印刷開始位置決め用搬送量分だけ連続用紙を搬送させることとしたので、連続用紙について容易かつ精度高く印刷位置合わせを行うことができる。
【００１９】
【発明の実施の形態】
以下、図面を参照して本発明にかかる印刷装置、印刷制御方法および印刷制御プログラムの実施の形態１および２について詳細に説明する。
【００２０】
（実施の形態１）
図１は、本発明にかかる実施の形態１の外観構成を示す側面図である。印刷装置１００において、搬送ユニット１０２は、筐体１０１の内部に設けられ連続用紙２００を用紙搬送方向Ｘへ搬送する機能を備えている。感光ドラム１０３は、筐体１０１の内部に設けられ、連続用紙２００に対して印刷を行う機能を備えている。ここで、感光ドラム１０３と連続用紙２００とが接する位置は、印刷が開始される印刷開始位置Ｐｐである。
【００２１】
印字確認部１０４は、筐体１０１の上部であって搬送経路に沿って設けられ、連続用紙２００の印字状態を目視で確認するための窓である。排紙口１０５からは、搬送された連続用紙２００が外部へ排紙される。
【００２２】
手動搬送スイッチ１０６は、手動操作で、用紙搬送方向Ｘまたは用紙搬送方向Ｘと逆方向に連続用紙２００を搬送させ、位置調整をするためのスイッチである。操作部１０７は、印刷開始スイッチや、搬送開始スイッチ等を備えている。用紙情報設定部１０８は、用紙情報を設定するための機能を備えている。用紙情報は、後述する折りたたみ長、プレプリント繰り返し単位および印刷開始ページである。用紙箱３００には、折り目でたたまれた状態で連続用紙２００が格納されている。
【００２３】
図２は、図１に示した連続用紙２００の構成を示す平面図である。連続用紙２００は、所定の折りたたみ長（例えば、１１インチ）の間隔で折り目が付いた連続用紙であり、所定ページ（同図ではページＡ、ＢおよびＣという３ページ）のプレプリント繰り返し単位で繰り返しパターンを有している。
【００２４】
つまり、連続用紙２００では、ページＡ、ＢおよびＣが一つのパターンとされており、このパターンが用紙搬送方向Ｘに沿って繰り返し印刷されるというプレプリントが行われる。また、折りたたみ長は、用紙搬送方向Ｘにおける１ページの長さである。
【００２５】
図３は、実施の形態１の搬送機構の構成を示す側面図である。同図において、図１の各部に対応する部分には同一の符号を付ける。同図において、用紙先端検出センサ１１０は、連続用紙２００の先端２００ａを検出するセンサであり、先端検出位置Ｐｓに設けられている。
【００２６】
印刷部１１１は、感光ドラム１０３と連続用紙２００の印刷面とが接する部分であり、印刷開始位置Ｐｐに対応している。印刷部１１１から排紙口１０５までの間には、連続用紙２００をガイドするためのガイドローラ１１２〜１１５および折りたたみガイド１１６が搬送経路に沿ってそれぞれ配設されている。用紙格納部３５０は、排紙口１０５から排出された連続用紙２００を折りたたまれた状態で格納する。
【００２７】
図４は、実施の形態１の電気的構成を示すブロック図である。同図において、図１および図３の各部に対応する部分には同一の符号を付ける。同図に示した印刷装置１００は、用紙情報設定部１０８（図１参照）、搬送ユニット１０２（図１および図３参照）、用紙先端検出センサ１１０（図３参照）、制御部１２０、搬送開始スイッチ１２１および印刷開始スイッチ１２２から構成されている。
【００２８】
制御部１２０は、各部を制御するものであり、搬送ユニット１０２を制御して、連続用紙２００の位置決めに関する制御を行う。この制御部１２０の動作の詳細については、後述する。
【００２９】
搬送開始スイッチ１２１は、印刷装置１００への連続用紙２００の搬送を開始する際に押下されるスイッチである。印刷開始スイッチ１２２は、搬送済みの連続用紙２００への印刷を開始する際に押下されるスイッチである。これらの搬送開始スイッチ１２１および印刷開始スイッチ１２２は、操作部１０７（図１参照）に設けられている。
【００３０】
つぎに、実施の形態１の動作について、図６に示したフローチャートを参照しつつ説明する。同図に示したステップＳＡ１では、オペレータは、図２に示した連続用紙２００のページＡを先頭として、印刷装置１００の所定位置にセットする。上記所定位置は、図３に示した用紙先端検出センサ１１０よりも同図右側である。
【００３１】
ステップＳＡ２では、オペレータは、図５に示したように用紙情報設定部１０８を用いて、「折りたたみ長」、「プレプリント繰り返し単位」および「印刷開始ページ」という用紙情報を設定する。
【００３２】
この場合、「折りたたみ長」としては、１１インチ（図２参照）が設定される。「プレプリント繰り返し単位」としては、３ページ（図２参照）が設定される。「印刷開始ページ」は、連続用紙２００において印刷を開始させる印刷開始ページを任意に設定するための情報であり、基準となるページＡから何番目のページであるかが設定される。
【００３３】
例えば、図２に示したページＢから印刷を開始させる場合、「印刷開始ページ」としては、ページＢがページＡから２番目（ページＡも含む）のページであるため「２ページ目」が設定される。
【００３４】
また、ページＣから印刷を開始させる場合、「印刷開始ページ」としては、ページＣがページＡから３番目（ページＡも含む）のページであるため「３ページ目」が設定される。
【００３５】
なお、ページＡから印刷を開始させる場合、「印刷開始ページ」としては、「１ページ目」が設定される。
【００３６】
ステップＳＡ３では、制御部１２０（図４参照）は、搬送開始スイッチ１２１が押下されたか否かを判断し、この場合、判断結果を「Ｎｏ」として、同判断を繰り返す。
【００３７】
そして、オペレータにより、搬送開始スイッチ１２１が押下されると、制御部１２０は、ステップＳＡ３の判断結果を「Ｙｅｓ」とする。ステップＳＡ４では、制御部１２０は、搬送ユニット１０２を駆動制御し、図３に示した連続用紙２００を用紙搬送方向Ｘへ搬送させる。
【００３８】
ステップＳＡ５では、制御部１２０は、用紙先端検出センサ１１０により連続用紙２００の先端２００ａが検出されたか否かを判断し、この場合、判断結果を「Ｎｏ」として、同判断を繰り返す。
【００３９】
そして、搬送が進み連続用紙２００の先端２００ａが用紙先端検出センサ１１０（先端検出位置Ｐｓ）に到達すると、用紙先端検出センサ１１０により先端２００ａが検出され、制御部１２０は、ステップＳＡ５の判断結果を「Ｙｅｓ」とする。
【００４０】
ステップＳＡ６では、制御部１２０は、先端検出位置Ｐｓから１２０．７インチ分、用紙搬送方向Ｘへ連続用紙２００が搬送されるように、搬送ユニット１０２を駆動制御する。ここで、１２０．７インチの内訳はつぎの通りである。
【００４１】
１２０．７インチ＝３２．５インチ（先端検出位置Ｐｓから印刷開始位置Ｐｐまでの距離）＋６６．２（印刷開始位置Ｐｐから排紙口１０５までの距離）＋２２インチ（用紙格納部３５０に収容される２ページ分の折りたたみ長：１１インチ×２）
【００４２】
そして、上記１２０．７インチの搬送においては、連続用紙２００の先端２００ａは、印刷部１１１→ガイドローラ１１２〜１１５→折りたたみガイド１１６→排紙口１０５→用紙格納部３５０という搬送経路に沿って移動し、連続用紙２００は、図３に示したように、搬送機構にセットされ、排紙口１０５より２ページ分の排出された状態とされる。
【００４３】
ステップＳＡ７では、制御部１２０は、印刷開始位置決め用搬送量Ｌを算出する。印刷開始位置決め用搬送量Ｌは、印刷開始位置Ｐｐに印刷開始ページを位置させるための連続用紙２００の搬送量である。
【００４４】
具体的には、制御部１２０は、印刷開始位置Ｐｐに位置しているページを特定する。
【００４５】
この場合、連続用紙２００の先端２００ａから印刷開始位置Ｐｐまでの距離は、８８．２インチ（２２インチ＋６６．２インチ）である。また、８８．２インチを１１インチ（折りたたみ長）で除算すると、８．０１８ページとなり、小数点以下を切り上げると、９ページとなる。
【００４６】
従って、図２に示したように、印刷開始位置Ｐｐには、連続用紙２００の先端２００ａから９ページ目のページＣが位置している。
【００４７】
また、連続用紙２００においては、印刷開始ページ（この場合、ページＢ）は、連続用紙２００の先端２００ａから２ページ目（用紙情報設定部１０８で「印刷開始ページ」として設定）と、当該ページから３ページ（用紙情報設定部１０８で「プレプリント繰り返し単位」として設定）ごとに印刷開始ページが存在する。
【００４８】
具体的には、連続用紙２００では、先端２００ａより２ページ目、５ページ目、８ページ目、１１ページ目、・・・に印刷開始ページ（ページＢ）が存在する。
【００４９】
但し、印刷開始位置Ｐｐから用紙格納部３５０までの間に存在する印刷開始ページ（２、５および８ページ目）は、感光ドラム１０３より後段にあるため、使用されない。従って、１１ページ目が印刷開始ページ（ページＢ）であり、印刷開始位置Ｐｐに位置している９ページ目（ページＣ）よりも２ページ離れている。
【００５０】
制御部１２０は、図５に示した用紙情報設定部１０８で設定された「折りたたみ長」（１ページ長）に「印刷開始ページ」を乗算した結果を印刷開始位置決め用搬送量Ｌとする。この場合、「折りたたみ長」（１ページ長）が１１インチ、「印刷開始ページ」が２ページであるため、印刷開始位置決め用搬送量Ｌは、２２インチとなる。
【００５１】
ステップＳＡ８では、制御部１２０は、上記印刷開始位置決め用搬送量Ｌに対応するＬインチ（この場合、２２インチ）分、連続用紙２００が用紙搬送方向Ｘへ搬送されるように、搬送ユニット１０２を駆動制御する。これにより、連続用紙２００は、２２インチ搬送され、印刷開始位置Ｐｐには、印刷開始ページ（ページＢ）が位置する。
【００５２】
ステップＳＡ９では、制御部１２０は、印刷開始スイッチ１２２が押下されたか否かを判断し、この場合、判断結果を「Ｎｏ」として、同判断を繰り返す。そして、オペレータにより印刷開始スイッチ１２２が押下されると、制御部１２０は、ステップＳＡ９の判断結果を「Ｙｅｓ」とする。
【００５３】
ステップＳＡ１０では、制御部１２０は、搬送ユニット１０２等を駆動制御して、印刷開始位置Ｐｐに位置している印刷開始ページ（この場合、ページＢ）から印刷を行うという印刷処理を実行する。
【００５４】
以上説明したように、実施の形態１によれば、用紙情報設定部１０８（図１参照）で、連続用紙２００に関する折りたたみ長、プレプリント繰り返し単位および印刷開始ページを設定し、初期搬送された連続用紙２００に関して、折りたたみ長に基づいて連続用紙２００の先端から印刷開始位置までのページ数、プレプリント繰り返し単位および印刷開始ページに基づいて連続用紙２００の先端から印刷開始ページまでのページ数を算出し、両ページの差を印刷開始位置決め用搬送量Ｌ（ステップＳＡ７：図６参照）として算出し、印刷開始位置決め用搬送量Ｌ分だけ連続用紙２００を搬送させることとしたので、連続用紙２００について容易かつ精度高く印刷位置合わせを行うことができる。
【００５５】
また、実施の形態１によれば、印刷開始ページを、既知である連続用紙２００の先端２００ａを起点とした場合のページとしたので、簡単な演算で連続用紙２００について容易かつ精度高く印刷位置合わせを行うことができる。
【００５６】
（実施の形態２）
図７は、本発明にかかる実施の形態２の外観構成を示す側面図である。同図に示した印刷装置４００において、図１の各部に対応する部分には同一の符号を付けその説明を省略する。
【００５７】
同図においては、図１に示した印字確認部１０４に代えて印字確認部４０１が設けられている。印字確認部４０１は、筐体１０１の上部であって搬送経路に沿って設けられ、連続用紙２００の印字状態を目視で確認するための窓である。また、印字確認部４０１には、図８に示したマーカ４０２が設けられている。このマーカ４０２は、印刷装置４００における印字確認部４０１の位置（印字確認位置Ｐｋ）を表す。
【００５８】
図９は、図７に示した連続用紙２００の構成を示す平面図である。この図において、印字確認位置Ｐｋから排紙口１０５（図７参照）までの距離は、３９．８インチである。印字確認位置Ｐｋから印刷開始位置Ｐｐ（図７参照）までの距離は、２６．４インチである。印刷開始位置Ｐｐから排紙口１０５（図７参照）までの距離は、６６．２インチ（７ページ）である。
【００５９】
図１０は、実施の形態２の搬送機構の構成を示す側面図である。同図において、図３および図７の各部に対応する部分には同一の符号を付ける。同図において、先端検出位置Ｐｓから印刷開始位置Ｐｐまでの距離は、３２．５インチである。印刷開始位置Ｐｐから印字確認位置Ｐｋまでの距離は、２６．４インチ（図９参照）である。また、印字確認位置Ｐｋから排紙口１０５までの距離は、３９．８インチ（図９参照）である。
【００６０】
図１１は、実施の形態２の電気的構成を示すブロック図である。同図において、図４、図７および図１０の各部に対応する部分には同一の符号を付ける。同図においては、図４に示した制御部１２０に代えて、制御部４０３が設けられている。制御部４０３は、各部を制御するものであり、搬送ユニット１０２を制御して、連続用紙２００の位置決めに関する制御を行う。この制御部４０３の動作の詳細については、後述する。
【００６１】
つぎに、実施の形態２の動作について、図１２に示したフローチャートを参照しつつ説明する。同図に示したステップＳＢ１では、オペレータは、図１０に示した印刷装置４００の所定位置に連続用紙２００の先頭ページをセットする。上記所定位置は、用紙先端検出センサ１１０よりも同図右側である。
【００６２】
ステップＳＢ２では、オペレータは、図１３に示したように用紙情報設定部１０８を用いて、「折りたたみ長」および「プレプリント繰り返し単位」を設定する。
【００６３】
この場合、「折りたたみ長」としては、１１インチ（図９参照）が設定される。「プレプリント繰り返し単位」としては、３ページ（図９参照）が設定される。
【００６４】
ステップＳＢ３では、制御部４０３（図１１参照）は、搬送開始スイッチ１２１が押下されたか否かを判断し、この場合、判断結果を「Ｎｏ」として、同判断を繰り返す。
【００６５】
そして、オペレータにより、搬送開始スイッチ１２１が押下されると、制御部４０３は、ステップＳＢ３の判断結果を「Ｙｅｓ」とする。ステップＳＢ４では、制御部４０３は、搬送ユニット１０２を駆動制御し、図１０に示した連続用紙２００を用紙搬送方向Ｘへ所定量搬送させる。
【００６６】
これにより、連続用紙２００の先端は、印刷部１１１→ガイドローラ１１２〜１１５→折りたたみガイド１１６→排紙口１０５→用紙格納部３５０という搬送経路に沿って移動し、連続用紙２００は、搬送機構にセットされ、排紙口１０５より排出された状態とされる。
【００６７】
ステップＳＢ５では、オペレータは、図８に示した印字確認部４０１より、「印刷開始ページ」を確認する。「印刷開始ページ」は、連続用紙２００において印刷を開始させる印刷開始ページを任意に設定するための情報であり、図８に示した印字確認位置Ｐｋに位置する基準となるページから何番目のページであるかが設定される。
【００６８】
例えば、図８に示した印字確認位置ＰｋにページＣが位置している状態で、ページＢから印刷を開始させる場合、「印刷開始ページ」としては、ページＢがページＣから３番目（ページＣも含む）のページであるため「３ページ目」が設定される。
【００６９】
また、ページＡから印刷を開始させる場合、「印刷開始ページ」としては、ページＡがページＣから２番目（ページＣも含む）のページであるため「２ページ目」が設定される。
【００７０】
なお、ページＣから印刷を開始させる場合、「印刷開始ページ」としては、「１ページ目」が設定される。
【００７１】
ステップＳＢ６では、オペレータは、図１４に示したように用紙情報設定部１０８を用いて、「印刷開始ページ」として、３ページ目を設定する。
【００７２】
ステップＳＢ７では、制御部４０３は、印刷開始位置決め用搬送量Ｍを算出する。印刷開始位置決め用搬送量Ｍは、印刷開始位置Ｐｐに印刷開始ページを位置させるための連続用紙２００の搬送量である。
【００７３】
具体的には、制御部４０３は、図８に示した印刷開始位置Ｐｐに位置しているページを特定する。この場合、図１０に示した排紙口１０５から印字確認位置Ｐｋまでの距離は、３９．８インチである。
【００７４】
また、３９．８インチを１１インチ（折りたたみ長）で除算すると、３．６１８ページとなり、小数点以下を切り上げると、４ページとなる。従って、印字確認位置Ｐｋには、排紙口１０５から４ページ目のページ（図８の例では、Ｃページ）が位置している。
【００７５】
また、連続用紙２００においては、印刷開始ページ（この場合、ページＢ）は、印字確認位置Ｐｋから３ページ目（図１４に示した用紙情報設定部１０８で「印刷開始ページ」として設定）と、当該ページから３ページ（図１３に示した用紙情報設定部１０８で「プレプリント繰り返し単位」として設定）ごとに印刷開始ページが存在する。
【００７６】
具体的には、連続用紙２００では、排紙口１０５より６ページ目、９ページ目、・・・に印刷開始ページ（ページＢ）が存在する。
【００７７】
但し、印刷開始位置Ｐｐから用紙格納部３５０までの間に存在する印刷開始ページ（６ページ目）は、感光ドラム１０３より後段にあるため、使用されない。従って、９ページ目が印刷開始ページ（ページＢ）である。
【００７８】
ここで、排紙口１０５から印刷開始位置Ｐｐまでの距離は、６６．２インチ（３９．８インチ＋２６．４インチ）である。また、６６．２インチを１１インチ（折りたたみ長）で除算すると、６．０３６ページとなり、小数点以下を切り上げると、７ページとなる。従って、印刷開始ページ（ページＢ）は、印字確認位置Ｐｋよりも２ページ（９−７ページ）離れている。
【００７９】
制御部４０３は、図１３に示した用紙情報設定部１０８で設定された「折りたたみ長」（１ページ長）に上記２ページを乗算した結果を印刷開始位置決め用搬送量Ｍとする。この場合、「折りたたみ長」（１ページ長）が１１インチ、「印刷開始ページ」が２ページであるため、印刷開始位置決め用搬送量Ｍは、２２インチとなる。
【００８０】
ステップＳＢ８では、制御部４０３は、印刷開始スイッチ１２２が押下されたか否かを判断し、この場合、判断結果を「Ｎｏ」として、同判断を繰り返す。そして、オペレータにより印刷開始スイッチ１２２が押下されると、制御部４０３は、ステップＳＢ８の判断結果を「Ｙｅｓ」とする。
【００８１】
ステップＳＢ９では、制御部４０３は、搬送ユニット１０２等を駆動制御して、上記印刷開始位置決め用搬送量Ｍに対応するＭインチ（この場合、２２インチ）分、連続用紙２００を白紙印刷する。そして、連続用紙２００が２２インチ分白紙印刷されると、印刷開始位置Ｐｐには、印刷開始ページ（ページＢ）が位置する。
【００８２】
ステップＳＢ１０では、制御部４０３は、搬送ユニット１０２等を駆動制御して、印刷開始位置Ｐｐに位置している印刷開始ページ（この場合、ページＢ）から実際に印刷データの印刷を行うという印刷処理を実行する。
【００８３】
なお、一実施の形態においては、ステップＳＢ９の処理に代えて、ステップＳＢ８の前に、制御部４０３により、上記印刷開始位置決め用搬送量Ｍに対応するＭインチ（この場合、２２インチ）分、連続用紙２００が用紙搬送方向Ｘへ搬送されるように、搬送ユニット１０２を駆動制御するようにしてもよい。この場合には、連続用紙２００は、２２インチ搬送され、印刷開始位置Ｐｐには、印刷開始ページ（ページＢ）が位置する。
【００８４】
以上説明したように、実施の形態２によれば、実施の形態１と同様の効果が得られるとともに、印刷開始ページを印字確認位置Ｐｋに設けられたマーカ４０２を起点とした場合のページとしたので、簡単な演算で連続用紙２００について容易かつ精度高く印刷位置合わせを行うことができる。
【００８５】
以上本発明にかかる実施の形態１および２について図面を参照して詳述してきたが、具体的な構成例はこれら実施の形態１および２に限られるものではなく、本発明の要旨を逸脱しない範囲の設計変更等があっても本発明に含まれる。
【００８６】
例えば、前述した実施の形態１および２においては、印刷装置１００（図１参照）、印刷装置４００（図７参照）の機能を実現するためのコンピュータプログラムを図１５に示したコンピュータ読み取り可能な記録媒体６００に記録して、この記録媒体６００に記録されたコンピュータプログラムを同図に示したコンピュータ５００に読み込ませ、実行することにより各機能を実現してもよい。
【００８７】
同図に示したコンピュータ５００は、上記コンピュータプログラムを実行するＣＰＵ（Ｃｅｎｔｒａｌ　Ｐｒｏｃｅｓｓｉｎｇ　Ｕｎｉｔ）５１０と、キーボード、マウス等の入力装置５２０と、各種データを記憶するＲＯＭ（Ｒｅａｄ　Ｏｎｌｙ　Ｍｅｍｏｒｙ）５３０と、演算パラメータ等を記憶するＲＡＭ（Ｒａｎｄｏｍ　Ａｃｃｅｓｓ　Ｍｅｍｏｒｙ）５４０と、記録媒体６００からコンピュータプログラムを読み取る読取装置５５０と、ディスプレイ、プリンタ等の出力装置５６０と、装置各部を接続するバス５７０とから構成されている。
【００８８】
ＣＰＵ５１０は、読取装置５５０を経由して記録媒体６００に記録されているコンピュータプログラムを読み込んだ後、コンピュータプログラムを実行することにより、前述した機能を実現する。なお、記録媒体６００としては、光ディスク、フレキシブルディスク、ハードディスク等が挙げられる。
【００８９】
（付記１）連続用紙に関する折りたたみ長、プレプリント繰り返し単位および印刷開始ページを設定する設定手段と、
前記連続用紙を搬送する搬送手段と、
前記搬送手段により初期搬送された前記連続用紙に関して、前記折りたたみ長に基づいて前記連続用紙の先端から印刷開始位置までの第１のページ数、および前記プレプリント繰り返し単位および前記印刷開始ページに基づいて前記連続用紙の先端から前記印刷開始ページまでの第２のページ数を算出し、前記第２のページ数と前記第１のページ数との差を印刷開始位置決め用搬送量として算出する算出手段と、
前記搬送手段を制御し、前記印刷開始位置決め用搬送量分だけ前記連続用紙を搬送させる制御手段と、
を備えたことを特徴とする印刷装置。
【００９０】
（付記２）前記算出手段は、前記連続用紙の先端から前記印刷開始位置までの既値距離を前記折りたたみ長で除算した結果に基づいて、前記第１のページ数を算出することを特徴とする付記１に記載の印刷装置。
【００９１】
（付記３）前記印刷開始ページは、既知である前記連続用紙の先端を起点とした場合のページであることを特徴とする付記１または２に記載の印刷装置。
【００９２】
（付記４）前記印刷開始ページは、所定位置に設けられたマーカを起点とした場合のページであることを特徴とする付記１に記載の印刷装置。
【００９３】
（付記５）前記マーカは、前記連続用紙の印字状態を確認するための印字確認位置に設けられていることを特徴とする付記４に記載の印刷装置。
【００９４】
（付記６）連続用紙に関する折りたたみ長、プレプリント繰り返し単位および印刷開始ページを設定する設定工程と、
前記連続用紙を搬送する搬送工程と、
前記搬送工程により初期搬送された前記連続用紙に関して、前記折りたたみ長に基づいて前記連続用紙の先端から印刷開始位置までの第１のページ数、および前記プレプリント繰り返し単位および前記印刷開始ページに基づいて前記連続用紙の先端から前記印刷開始ページまでの第２のページ数を算出し、前記第２のページ数と前記第１のページ数との差を印刷開始位置決め用搬送量として算出する算出工程と、
前記搬送工程を制御し、前記印刷開始位置決め用搬送量分だけ前記連続用紙を搬送させる制御工程と、
を含むことを特徴とする印刷制御方法。
【００９５】
（付記７）前記算出工程では、前記連続用紙の先端から前記印刷開始位置までの既値距離を前記折りたたみ長で除算した結果に基づいて、前記第１のページ数を算出することを特徴とする付記６に記載の印刷制御方法。
【００９６】
（付記８）前記印刷開始ページは、既知である前記連続用紙の先端を起点とした場合のページであることを特徴とする付記６または７に記載の印刷制御方法。
【００９７】
（付記９）前記印刷開始ページは、所定位置に設けられたマーカを起点とした場合のページであることを特徴とする付記６に記載の印刷制御方法。
【００９８】
（付記１０）前記マーカは、前記連続用紙の印字状態を確認するための印字確認位置に設けられていることを特徴とする付記９に記載の印刷制御方法。
【００９９】
（付記１１）コンピュータを、
連続用紙に関する折りたたみ長、プレプリント繰り返し単位および印刷開始ページを設定する設定手段、
前記連続用紙を搬送する搬送手段、
前記搬送手段により初期搬送された前記連続用紙に関して、前記折りたたみ長に基づいて前記連続用紙の先端から印刷開始位置までの第１のページ数、および前記プレプリント繰り返し単位および前記印刷開始ページに基づいて前記連続用紙の先端から前記印刷開始ページまでの第２のページ数を算出し、前記第２のページ数と前記第１のページ数との差を印刷開始位置決め用搬送量として算出する算出手段、
前記搬送手段を制御し、前記印刷開始位置決め用搬送量分だけ前記連続用紙を搬送させる制御手段、
として機能させるための印刷制御プログラム。
【０１００】
（付記１２）前記算出手段は、前記連続用紙の先端から前記印刷開始位置までの既値距離を前記折りたたみ長で除算した結果に基づいて、前記第１のページ数を算出することを特徴とする付記１１に記載の印刷制御プログラム。
【０１０１】
（付記１３）前記印刷開始ページは、既知である前記連続用紙の先端を起点とした場合のページであることを特徴とする付記１１または１２に記載の印刷制御プログラム。
【０１０２】
（付記１４）前記印刷開始ページは、所定位置に設けられたマーカを起点とした場合のページであることを特徴とする付記１１に記載の印刷制御プログラム。
【０１０３】
（付記１５）前記マーカは、前記連続用紙の印字状態を確認するための印字確認位置に設けられていることを特徴とする付記１４に記載の印刷制御プログラム。
【０１０４】
【発明の効果】
以上説明したように、本発明によれば、連続用紙に関する折りたたみ長、プレプリント繰り返し単位および印刷開始ページを設定し、初期搬送された連続用紙に関して、折りたたみ長に基づいて連続用紙の先端から印刷開始位置までの第１のページ数、およびプレプリント繰り返し単位および印刷開始ページに基づいて連続用紙の先端から印刷開始ページまでの第２のページ数を算出し、第２のページ数と第１のページ数との差を印刷開始位置決め用搬送量として算出し、印刷開始位置決め用搬送量分だけ連続用紙を搬送させることとしたので、連続用紙について容易かつ精度高く印刷位置合わせを行うことができるという効果を奏する。
【０１０５】
また、本発明によれば、印刷開始ページを、既知である連続用紙の先端を起点とした場合のページとしたので、簡単な演算で連続用紙について容易かつ精度高く印刷位置合わせを行うことができるという効果を奏する。
【０１０６】
また、本発明によれば、印刷開始ページを、所定位置に設けられたマーカを起点とした場合のページとしたので、簡単な演算で連続用紙について容易かつ精度高く印刷位置合わせを行うことができるという効果を奏する。
【図面の簡単な説明】
【図１】本発明にかかる実施の形態１の外観構成を示す側面図である。
【図２】図１に示した連続用紙２００の構成を示す平面図である。
【図３】同実施の形態１の搬送機構の構成を示す側面図である。
【図４】同実施の形態１の電気的構成を示すブロック図である。
【図５】図１および図４に示した用紙情報設定部１０８の設定例を示す図である。
【図６】同実施の形態１の動作を説明するフローチャートである。
【図７】本発明にかかる実施の形態２の外観構成を示す側面図である。
【図８】図７に示した印字確認部４０１および連続用紙２００の位置関係を示す平面図である。
【図９】図７に示した連続用紙２００の構成を示す平面図である。
【図１０】同実施の形態２の搬送機構の構成を示す側面図である。
【図１１】同実施の形態２の電気的構成を示すブロック図である。
【図１２】同実施の形態２の動作を説明するフローチャートである。
【図１３】図７および図１１に示した用紙情報設定部１０８の設定例を示す図である。
【図１４】図７および図１１に示した用紙情報設定部１０８の設定例を示す図である。
【図１５】本発明にかかる実施の形態１および２の変形例の構成を示すブロック図である。
【図１６】従来の印刷装置１０の外観構成を示す側面図である。
【図１７】図１６に示した連続用紙２０の構成を示す平面図である。
【図１８】従来の印刷装置１０の動作を説明する図である。
【符号の説明】
１００　印刷装置
１０２　搬送ユニット
１０３　感光ドラム
１０４　印字確認部
１０５　排紙口
１０７　操作部
１０８　用紙情報設定部
１１０　用紙先端検出センサ
１１１　印刷部
１２０　制御部
４００　印刷装置
４０１　印字確認部
４０３　制御部
【図１】
2004058520.tif 000003
【図２】
2004058520.tif 000004
【図３】
2004058520.tif 000005
【図４】
2004058520.tif 000006
【図５】
2004058520.tif 000007
【図６】
2004058520.tif 000008
【図７】
2004058520.tif 000009
【図８】
2004058520.tif 000010
【図９】
2004058520.tif 000011
【図１０】
2004058520.tif 000012
【図１１】
2004058520.tif 000013
【図１２】
2004058520.tif 000014
【図１３】
2004058520.tif 000015
【図１４】
2004058520.tif 000016
【図１５】
2004058520.tif 000017
【図１６】
2004058520.tif 000018
【図１７】
2004058520.tif 000019
【図１８】
2004058520.tif 000020